(57)【要約】【課題】屋根の重量を比較的軽量としながらも十分な放熱効率を確保することができるとともに、安価に施工することができる放熱構造を備えた屋根を有する建築物を提供する。【解決手段】野地板と、同野地板の外側面に敷設した下葺材と、同下葺材上に配設した屋根葺材とを備える屋根部を有する建築物において、前記下葺材の少なくとも外側面には、水ガラスと、セメントと、珪砂とを混合し薄膜状に延展して乾燥させることにより形成した放熱膜を備え、前記下葺材と、前記屋根葺材との間に形成された空間の空気に、前記放熱膜から放射する熱を吸収させて、暖気流を発生させて放熱することとした。【選択図】図３
2008255599.tif 000002
【特許請求の範囲】
【請求項１】
野地板と、同野地板の外側面に敷設した下葺材と、同下葺材上に配設した屋根葺材とを備える屋根部と、同屋根部の下方に立設した外壁とを有する建築物において、
前記下葺材の少なくとも外側面には、少なくとも水ガラスを含有する放熱膜調製液を薄膜状に延展して乾燥させることにより形成した放熱膜を備え、
前記下葺材と、前記屋根葺材との間に形成された空間の空気に、前記放熱膜から放射する熱を吸収させて、暖気流を発生させて放熱することを特徴とする建築物。
【請求項２】
前記屋根葺材の少なくとも裏面に、前記放熱膜を形成したことを特徴とする請求項１に記載の建築物。
【請求項３】
前記野地板の少なくとも外側面に、前記放熱膜を形成したことを特徴とする請求項１または請求項２に記載の建築物。
【請求項４】
前記外壁は、前記屋根部より垂下した外壁柱と、前記建築物の外部に面する外装板と、前記建築物の内部に面する内装板とを備え、前記外壁柱を前記外装板と前記内装板とでサンドイッチ状に挟み込んで形成するとともに、
前記外装板の外壁内方面及び／または前記内装板の外壁内方面には、前記放熱膜を形成していることを特徴とする請求項１〜３いずれか１項に記載の建築物。
【請求項５】
前記放熱膜調製液は、セメント及び／または珪砂を含有することを特徴とする請求項１〜４いずれか１項に記載の建築物。
【請求項６】
前記屋根部は、傾斜した屋根面で構成した勾配屋根であることを特徴とする請求項１〜５いずれか１項に記載の建築物。
【請求項７】
略平坦な屋根形状の陸屋根部を備える建築物において、
前記陸屋根部の上面に、少なくとも水ガラスを含有する放熱膜調製液を薄膜状に延展して乾燥させることにより形成した放熱膜を備えたことを特徴とする建築物。
【請求項８】
前記放熱膜調製液は、セメント及び／または珪砂を含有することを特徴とする請求項７に記載の建築物。
【発明の詳細な説明】
【技術分野】
【０００１】
本発明は、建築物に関するものであり、より詳細には、建築物の屋根部における放熱構造に関する。
【背景技術】
【０００２】
従来、建築物の上部には屋根が配設されており、建築物の内部に雨や雪が入り込むのを防いだり、直射日光が当たるのを防ぐようにしている。
【０００３】
ところが、夏場など直射日光が照りつける炎天下では、屋根の温度が上昇し、建築物内部の空気を暖めてしまうことから、冷房効率が低下してしまう場合があった。
【０００４】
特に、屋根裏部屋のような屋根直下の閉鎖空間では、例えば６０℃にまで室温が上昇することとなり、この閉鎖空間内の熱せられた空気が長時間に亘って滞留するため、日没後であっても、同閉鎖空間に隣接する部屋にまで長時間に亘り冷房効率の悪化を招く原因となっていた。
【０００５】
そこで、屋根の屋根葺材と、同屋根葺材の下面側に沿って連続した空気流通路を形成する通気性パネルとを備えた屋根の放熱構造が提案されている（例えば、特許文献１参照。）。
【０００６】
この屋根の放熱構造によれば、屋根葺材の下面に空気流通路が形成されているため、屋根葺材に当たった日射エネルギーがこの空気流通路の空気を暖めるとともに、暖められた空気は、空気流通路を通って建築物外へ出ることとなり、屋根裏の温度上昇等を抑えることができるとしている。
【特許文献１】特開平０７−１９７５８６号公報
【発明の開示】
【発明が解決しようとする課題】
【０００７】
しかしながら、単に屋根葺材の下面に空気流通路を形成する上記従来の屋根の放熱構造では、未だ十分な放熱がなされているとは言い難いものであった。
【０００８】
また、空気流通路を形成する通気性パネルを別途配設する必要があるため、屋根の重量が大きく増大するとともに、施工費用の上昇を招いていた。
【０００９】
本発明は、斯かる事情に鑑みてなされたものであって、屋根の重量を比較的軽量としながらも十分な放熱効率を確保することができるとともに、安価に施工することができる放熱構造を備えた屋根を有する建築物を提供する。
【課題を解決するための手段】
【００１０】
上記課題を解決するために、本発明に係る建築物では、野地板と、同野地板の外側面に敷設した下葺材と、同下葺材上に配設した屋根葺材とを備える屋根部と、同屋根部の下方に立設した外壁とを有する建築物において、前記下葺材の少なくとも外側面には、少なくとも水ガラスを含有する放熱膜調製液を薄膜状に延展して乾燥させることにより形成した放熱膜を備え、前記下葺材と、前記屋根葺材との間に形成された空間の空気に、前記放熱膜から放射する熱を吸収させて、暖気流を発生させて放熱することとした。
【００１１】
また、以下の点にも特徴を有する。
（１）前記屋根葺材の少なくとも裏面に、前記放熱膜を形成したこと。
（２）前記野地板の外側面に、前記放熱膜を形成したこと。
（３）前記外壁は、前記屋根部より垂下した外壁柱と、前記建築物の外部に面する外装板と、前記建築物の内部に面する内装板とを備え、前記外壁柱を前記外装板と前記内装板とでサンドイッチ状に挟み込んで形成するとともに、前記外装板の外壁内方面及び／または前記内装板の外壁内方面には、前記放熱膜を形成していること。
（４）前記放熱膜調製液は、セメント及び／または珪砂を含有すること。
（５）前記屋根部は、傾斜した屋根面で構成した勾配屋根であること。
【００１２】
さらに、本発明に係る建築物では、略平坦な屋根形状の陸屋根部を備える建築物において、前記陸屋根部の上面に、少なくとも水ガラスを含有する放熱膜調製液を薄膜状に延展して乾燥させることにより形成した放熱膜を備えることとした。
【００１３】
さらに、前記放熱膜調製液は、セメント及び／または珪砂を含有することにも特徴を有する。
【発明の効果】
【００１４】
請求項１に記載の本発明では、野地板と、同野地板の外側面に敷設した下葺材と、同下葺材上に配設した屋根葺材とを備える屋根部と、同屋根部の下方に立設した外壁とを有する建築物において、前記下葺材の少なくとも外側面には、少なくとも水ガラスを含有する放熱膜調製液を薄膜状に延展して乾燥させることにより形成した放熱膜を備え、前記下葺材と、前記屋根葺材との間に形成された空間の空気に、前記放熱膜から放射する熱を吸収させて、暖気流を発生させて放熱することとしたため、建築物に蓄えられた熱を効果的に放熱することができ、建築物内部の温度を低下させることができる。
【００１５】
また、請求項２に記載の本発明では、前記屋根葺材の少なくとも裏面に、前記放熱膜を形成したため、屋根葺材に蓄えられた熱を下葺材と屋根葺材との間に形成された空間の空気を加熱して暖気流を生成し、建築物内部の温度を低下させることができる。
【００１６】
また、請求項３に記載の本発明では、前記野地板の外側面に、前記放熱膜を形成したため、野地板と下葺材との間の熱伝導性を向上させることができ、建築物内部の温度を低下させることができる。
【００１７】
また、請求項４に記載の本発明では、外壁は、屋根部より垂下した外壁柱と、建築物の外部に面する外装板と、建築物の内部に面する内装板とを備え、外壁柱を外装板と内装板とでサンドイッチ状に挟み込んで形成するとともに、外装板の外壁内方面及び／または内装板の外壁内方面には、放熱膜を形成していることとしたため、外装板及び／内装板に蓄えられた熱を外壁内に放散することができて、建築物内部の温度を低下させることができる。
【００１８】
また、請求項５に記載の本発明では、放熱膜調製液は、セメント及び／または珪砂を含有することとしたため、放熱膜の強度を向上させることができる。
【００１９】
また、請求項６に記載の本発明では、屋根部は、傾斜した屋根面で構成した勾配屋根であることとしたため、放熱膜から放射する熱で発生させた暖気流を、下葺材と屋根葺材との間に形成された空間で、上方に向けて流動させることができるため、より効率的に建築物内部の温度を低下させることができる。
【００２０】
また、請求項７に記載の本発明では、略平坦な屋根形状の陸屋根部を備える建築物において、前記陸屋根部の上面に、少なくとも水ガラスを含有する放熱膜調製液を薄膜状に延展して乾燥させることにより形成した放熱膜を備えたことにより、陸屋根を備える建築物であっても、効率的に放熱することができ、建築物内部の温度を低下させることができる。
【００２１】
さらに、請求項８に記載の本発明では、放熱膜調製液は、セメント及び／または珪砂を含有することとしたため、陸屋根部の上面に、水分や温度変化に対して耐久性を備えた放熱膜を形成することができ、長きに亘って効率的に建築物内部の温度を低下させることができる。
【発明を実施するための最良の形態】
【００２２】
本発明は、野地板と、同野地板の外側面に敷設した下葺材と、同下葺材上に配設した屋根葺材とを備える屋根部と、同屋根部の下方に立設した外壁とを有する建築物において、前記下葺材の少なくとも外側面には、少なくとも水ガラスを含有する放熱膜調製液を薄膜状に延展して乾燥させることにより形成した放熱膜を備え、前記下葺材と、前記屋根葺材との間に形成された空間の空気を、前記放熱膜から放射する熱で暖めて、暖気流を発生させて放熱することを特徴とする建築物を提供するものである。
【００２３】
換言すると、下葺材と、屋根葺材との間に形成された空間の空気に、前記放熱膜から放射する熱を吸収させて、自発的に流動する暖気流を生じさせ、送風ファン等を用いなくとも熱の放散を行うことのできる建築物を提供するものである。
【００２４】
すなわち、野地板の表面に敷設した下葺材に放熱膜を形成することで、日射等で加熱された建材や、屋根裏等に滞留する加熱された空気等が有する熱エネルギーを下葺材を介して放熱するようにしている。
【００２５】
ここで、屋根葺や屋根葺材は特に限定されるものではなく、粘土瓦、セメント瓦、石綿セメント瓦、金属瓦等を用いる瓦葺、天然スレート、石綿セメント板、アスファルトシングル、金属板、こけら、樹皮、ガラス等を用いる平板葺、金属波板、石綿セメント波板、プラスチック波板、ガラス波板等を用いる波板葺、金属板、亜鉛鉄板、アルミ板等を用いる瓦棒葺等とすることができる。
【００２６】
また、屋根の形状は、特に限定されるものではなく、切妻屋根、入母屋屋根、寄棟屋根、片流屋根、方形屋根、のこぎり屋根、腰折れ屋根、マンサード屋根、かまぼこ屋根、越屋根、招き屋根、差掛屋根等の勾配屋根、屋根面に傾斜のない（または、僅かな傾斜の）略平坦な陸屋根のいずれであっても良い。
【００２７】
また、下葺材（ルーフィング）もまた特に限定されるものではなく、アスファルトやゴム、合成樹脂、プラスチックなどによりシート状に形成した、耐水性を備えた下葺材であれば良い。
【００２８】
そして、この下葺材の外側面に、放熱膜を形成することで、建築物が有する熱を外方へ放散させることができる。
【００２９】
また、これらの屋根を構成する屋根葺材の少なくとも裏面に、放熱膜を形成するようにしても良い。
【００３０】
これにより、日射等により蓄熱した屋根葺材の放熱を促すことができ、建築物が蓄熱するのをさらに防止することができる。
【００３１】
また、前述した野地板の外側面に放熱膜を形成しても良い。
【００３２】
野地板の外側面に放熱膜を形成することにより、野地板と下葺材との間の熱伝導性を向上させることができ、建築物が蓄熱するのをさらに防止することができる。
【００３３】
また、屋根は、傾斜した屋根面で構成した勾配屋根とすることにより、下葺材と、前記屋根葺材との間に形成した空間の空気を、前記放熱膜から放射する熱で暖めて、勾配屋根部の勾配に沿って上昇する暖気流を発生させて放熱することができ、さらに効率的に建築物が蓄熱するのを防止することができる。
【００３４】
また、建築物の屋根が陸屋根の場合、同陸屋根の上面に放熱膜を備えるようにしても良い。
【００３５】
この場合、放熱膜は、予めシート状に形成して敷設しても良く、また、放熱膜を形成する溶液を直接陸屋根の上面に塗布して乾燥させることにより形成しても良い。
【００３６】
ここで、放熱膜は、少なくとも水ガラスを含有する放熱膜形成液を薄膜状に延展して乾燥させることにより形成するようにしている。
また、この放熱膜形成液は、水ガラスと、セメントと、珪砂とを混合して調製するようにしても良い。
【００３７】
すなわち、25〜60w/wの珪酸ナトリウム水溶液（水ガラス）と、セメントと、６号珪砂（粒径約100μｍ程度）とを、９〜11：３〜５：５〜７の重量割合で混合して粘稠性を有する放熱膜形成液を調製し、同放熱膜調製液を所望の厚みに延展することで放熱膜を形成することができる。
【００３８】
このように調製した放熱膜は、熱を帯びることにより、この熱を遠赤外線として放射するため、同放熱膜を有する建材は効率よく熱を放散することができるのである。
【００３９】
また、この放熱膜は、フライアッシュを添加して形成するようにしても良い。
【００４０】
この際、放熱膜調製液は、25〜60w/wの珪酸ナトリウム水溶液（水ガラス）と、セメントと、６号珪砂（粒径約100μｍ程度）と、フライアッシュとを、９〜11：３〜５：５〜６：0.1〜１の重量割合で混合して調製する。
【００４１】
また、フライアッシュを含む放熱膜形成液を所望の厚みに延展して乾燥し形成した放熱膜は、フライアッシュを添加せずに形成した放熱膜に比して遠赤外線をより多く放射することとなるため、さらに効率の良い建築物の放熱を行うことができる。
【００４２】
なお、放熱膜形成液に使用する珪酸ナトリウム水溶液の濃度は、用途に応じて変更可能である。
【００４３】
例えば、前記放熱膜調製液に使用する珪酸ナトリウム水溶液の濃度を、25〜35w/wとすることにより、乾燥が早く放熱膜を容易に形成することができ、ハンドリングが良く、施工性が良好な放熱膜調製液とすることができる。
【００４４】
また、例えば、前記放熱膜調製液に使用する珪酸ナトリウム水溶液の濃度を、35〜60w/wとすることにより、放熱効果の高い放熱膜を形成することができ、しかも、厚塗りの容易な放熱膜調製液とすることができる。
【００４５】
しかも、このようにして形成した放熱膜は耐火性能を有している。したがって、放熱膜を形成することにより、建築物の耐火性能を向上させることもできる。なお、耐火性能をさらに向上させるためには、放熱膜をより厚く形成するのが好ましい。
【００４６】
以下、本発明に係る実施形態について、図面を参照しながらさらに詳説する。
【００４７】
図１は、瓦葺の勾配屋根を備える建築物としての家屋１の断面を示した模式図である。
【００４８】
家屋１は、図示しない基礎上に立設した四方を箱状に閉塞する外壁４と屋根部２とを備えている。
【００４９】
外壁４の上方には、梁８を掛け渡しており、この梁８上に小屋束９などの柱を配設して前記屋根部２を支えるようにしている。
【００５０】
屋根部２は、梁８上に配設した柱上に形成しており、家屋１の棟部６から軒部７へ向けて斜面状に配置している。なお、屋根部２には屋根葺材としての瓦３を配設しており、本実施形態に係る建築物の屋根部２は、瓦葺の屋根としている。
【００５１】
また、外壁４の上部近傍より同外壁４と垂直に交わり、地面と略平行となるように天井部５を板材を用いて面状に形成しており、同天井部５よりも上部の空間を屋根裏Ｓとし、天井部５よりも下部の空間を居住空間Ｔとしている。
【００５２】
図２及び図３は、屋根部２を拡大した説明図である。なお、図２は説明の便宜上、屋根部２の長さ方向を中途部で一部省略して示している。
【００５３】
本実施形態に係る建築物の屋根部２の構造を更に説明すると、屋根部２は、小屋束９の上部に配設した棟木12及び母屋11と、外壁４の上部に配設した軒桁10とを備えている。
【００５４】
また、棟木12、母屋11、軒桁10の上方に垂木13を垂直に交わるように配設し、棟部６から軒部７にかけて下り傾斜状としている。
【００５５】
さらに、垂木13の上部には、板状の野地板14をほぼ隙間なく配設して屋根を面状に形成するとともに、同野地板14の外側面に、シート状に形成した下葺材としてのルーフィング15をほぼ隙間なく敷設している。
【００５６】
そして、ルーフィング15の上面に、角材状の瓦桟16を垂木13と垂直に交わる方向へ配設し、この瓦桟16に瓦３の端部を引っかけて同瓦３を整列配置して屋根部２を構成している。
【００５７】
なお、瓦３とルーフィング15との間には空間Ｕが形成されており、瓦３の裏面では、この空間Ｕ同士を通じて相互に空気の流通が可能である。
【００５８】
このような屋根部２において、本願発明に特徴的には、まず、ルーフィング15に放熱膜を備えている。
【００５９】
図４は、本実施形態に係るルーフィングの断面を拡大した模式図である。すなわち、図４（ａ）にも示すように、ルーフィング15は、骨材20と放熱層21とで放熱膜22を形成し、同放熱膜22の片面に耐水層23を形成して構成している。
【００６０】
ここで骨材20は、可撓性を有するシート状やメッシュ状の素材であれば良く、たとえば、紙、不織布等のシート体や、炭素繊維、合成繊維等をメッシュ状に組み上げたメッシュ体を利用することができる。
【００６１】
また、放熱膜22は、前述したように、水ガラスと、セメントと、珪砂とフライアッシュとを混合してなる放熱膜形成液を薄膜状に延展して乾燥させることにより形成するようにしている。
【００６２】
すなわち、25〜60w/wの珪酸ナトリウム水溶液（水ガラス）と、セメントと、６号珪砂（粒径約100μｍ程度）と、フライアッシュとを、９〜11：３〜５：５〜６：0.1〜１の重量割合で混合して調製し、同放熱膜調製液を所望の厚みに延展することで放熱膜22を形成している。
【００６３】
また、耐水層23は、樹脂やアスファルト等撥水性を有する素材で形成しており、雨水等の水分がルーフィング15を透過するのを防止するとともに、水分により放熱膜22が劣化するのを防止する役割も担っている。
【００６４】
なお、放熱膜22と耐水層23とは、いずれか一方を予めシート状に形成しておき、いずれか他方を塗布して一体的に形成しても良く、また、放熱膜22と耐水層23とを予めそれぞれ別個にシート状に形成しておき、次いで貼り合わせてルーフィング15を形成するようにしても良い。
【００６５】
また、放熱膜22に形成する耐水層23は、放熱膜22の両面に形成するようにしても良い。
【００６６】
すなわち、図４（ｂ）に示すように、放熱膜22の両面に耐水層23を形成することで、ルーフィング15の耐水性をさらに向上させることができる。
【００６７】
また、本実施形態に係る建築物では、瓦３に放熱膜を備えていることにも特徴を有している。
【００６８】
すなわち、図５に示すように、瓦３は、瓦本体24の表面に放熱膜22を形成して構成している。
【００６９】
この放熱膜22は、屋根部２に瓦３を配設した際に、瓦３の裏側となる面に形成しており、例えば日射等により暖められた瓦３の熱は、同瓦３の裏面側から放散するように形成している。
【００７０】
併せて、本実施形態に係る建築物では、野地板14の表面に放熱膜22を備えていることにも特徴を有している。
【００７１】
すなわち、図６に示すように、垂木13上に配設した野地板14の外側面に、放熱膜22を形成している。
【００７２】
換言すれば、野地板14とルーフィング15との間に、放熱膜22を形成しており、屋根裏Ｓの熱せられた空気の熱を効率的にルーフィング15へ伝える役割を果たすようにしている。
【００７３】
このような構成を備える家屋１によれば、次のようにして、家屋１の熱を放散することができる。
【００７４】
すなわち、日射等により家屋１が加熱されると、瓦３や屋根裏Ｓ内の空気が熱を帯びる。
【００７５】
瓦３の熱は、同瓦３の裏面に形成した放熱膜22により、空間Ｕに向かって遠赤外線を放射し、瓦３の有する熱を空間Ｕの空気を暖めるエネルギーとして利用して、瓦３の温度を低下させる。
【００７６】
また、屋根裏Ｓの空気が有する熱は、野地板14を介して野地板14の外側面に形成した放熱膜22から遠赤外線としてルーフィング15を加熱するエネルギーとして消費され、屋根裏Ｓの温度を低下させる。
【００７７】
加熱されたルーフィング15にもまた、放熱膜22が形成されているため、ルーフィング15の熱は、遠赤外線として同ルーフィング15の直上方にある空間Ｕの空気を暖めるエネルギーとなり放散され、ルーフィング15の温度は低下する。
【００７８】
そして、加熱された空間Ｕの空気は、図７に示すように、屋根部２の傾斜に沿って空間Ｕ内を上方に向かって流れ、棟部６の近傍より外気へ放散されることとなる。
【００７９】
したがって、家屋１の温度、すなわち、瓦３の温度や屋根裏Ｓの空気の温度を低下させることができる。
【００８０】
それゆえ、屋根裏Ｓの下方に天井部５を隔てて形成した居住空間Ｔの冷房効率等を向上させることができる。
【００８１】
また、居住空間Ｔの居住性を向上させることができる。
【００８２】
次に、本実施形態に係る家屋１の外壁４の構造について、図８を用いて説明する。図８は、外壁４の一部を切り欠いて内部を示した斜視図である。
【００８３】
本実施形態に係る家屋１の外壁４は、図８に示すように、前述の屋根部２より垂下より垂下して配設した外壁柱25と、家屋１の屋外に面するように外壁柱25に配設した外装板26と、家屋１の屋内に面するように外壁柱25に配設した内装板27とをそなえており、外装板26と内装板27とで外壁柱25をサンドイッチ状に挟み込むように形成している。
【００８４】
また、外壁４の内部は、外装板26と内装板27と外壁柱25とで囲まれた、家屋１の上方に向けて伸延する壁内空間Ｖを備えている。なお、この壁内空間Ｖは、空気の流通路として機能するものである。
【００８５】
そして、外装板26の壁内空間Ｖと接触する面、すなわち、外装板外壁内方面28には、前述の放熱膜22を形成しており、日射等で加熱されることにより蓄えられた外装板26の熱で、壁内空間Ｖの空気を放熱膜22より放射される遠赤外線で加熱して、外装板26の温度を低下させるようにしている。
【００８６】
また、内装板27の壁内空間Ｖと接触する面、すなわち、内装板外壁内方面29にも前述の放熱膜22を形成しており、屋内の熱で暖められることにより蓄えられた内装板の熱で、壁内空間Ｖの空気を放熱膜22より放射される遠赤外線で加熱して、内装板27の温度を低下させるようにしている。
【００８７】
このようにして暖められた壁内空間Ｖの空気は、上昇気流（暖気流）となって同壁内空間Ｖの上方へ登り、前述の屋根裏や、下葺材と屋根葺材との間に形成された空間Ｕに流入する。
【００８８】
そして、前述のように、屋根裏に流入した暖気流は、放熱膜22を備えるルーフィング15等の屋根葺材により、空間Ｕの空気を暖めることにより、屋外へ放熱されることとなる。
【００８９】
また、空間Ｕに直接流入した暖気流についても、空間Ｕに沿って屋根部２内で棟部６方向に上昇し、屋外へ放熱されることとなる。
【００９０】
このように、外装板外壁内方面28や内装板外壁内方面29に放熱膜22を形成することにより、家屋１に蓄積された熱を効率的に放熱することができる。
【００９１】
なお、本実施形態の外壁４は、外装板外壁内方面28と内装板外壁内方面29との両方に放熱膜22を形成しているが、これに限定されるものではなく、外装板外壁内方面28、内装板外壁内方面29のいずれか一方であっても良く、また、外装板外壁内方面28、内装板外壁内方面29の一部に形成するようにしても良い。
【００９２】
図９は、他の実施形態に係る建築物としての集合住宅50を示している。
【００９３】
すなわち、図９（ａ）に示す集合住宅50はいわゆる陸屋根を有する建築物であり、鉄筋コンクリート造りで構成した居住部52の上方に、略平面状の屋根部51を備えている。
【００９４】
そして、この屋根部51は、図９（ｂ）に示すように、屋根本体53上に放熱膜22を形成している。
【００９５】
なお、この放熱膜22は、先に示した家屋１に使用する放熱膜22と同様の組成からなるものであるが、直接風雨にさらされる環境であるため、放熱膜22の厚みを若干厚めに形成するのが望ましい。
【００９６】
このような集合住宅50によれば、放熱膜22を備える屋根部51を有しているため、居住部52が有する熱を、屋根部51より遠赤外線に変換して放射することとなるため、集合住宅50が有する熱を外気へ効率的に放散することができ、居住部52の冷房効率や居住性を向上させることができる。
【００９７】
また、このように放熱膜22を形成した集合住宅50は、耐火性能をが向上しており、同集合住宅50近傍で発生した火災からの類焼を防止・遅延したり、同集合住宅50で発生した火災の延焼を防止・遅延させることができる。
【００９８】
最後に、上述した実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。例えば、図２及び図３に示した構成では、家屋１を瓦葺の屋根部２を備えるものとしているが、これに限定されるものではなく、例えば棒葺の屋根部２を備える家屋１としても良い。
【００９９】
この際、屋根葺材の裏面に放熱膜22を形成することにより、家屋１の熱放散効率を向上させることができ、居住空間Ｔの冷房効率や居住性を向上させることができるのは勿論である。
【図面の簡単な説明】
【０１００】
【図１】本実施形態に係る建築物としての家屋の断面を示した模式図である。
【図２】本実施形態に係る建築物としての家屋が有する屋根部を拡大した説明図である。
【図３】本実施形態に係る建築物としての家屋が有する屋根部を拡大した説明図である。
【図４】屋根部に敷設したルーフィングの断面を拡大した模式図である。
【図５】屋根部に配設した瓦の裏面側を示す説明図である。
【図６】本実施形態に係る建築物としての家屋が有する屋根部の一部を切り欠いて模式的に示した斜視図である。
【図７】屋根部の野地板近傍を拡大した模式図である。
【図８】外壁の構成を示した説明図である。
【図９】他の実施形態を示す説明図である。
【符号の説明】
【０１０１】
１  家屋
２  屋根部
３  瓦
４  外壁
14  野地板
15  ルーフィング
21  放熱層
22  放熱膜
25  外壁柱
26  外装板
27  内装板
28  外装板外壁内方面
29  内装板外壁内方面
50  集合住宅
51  屋根部
Ｓ  屋根裏
Ｕ  空間
Ｖ  壁内空間
【図１】
2008255599.tif 000003
【図２】
2008255599.tif 000004
【図３】
2008255599.tif 000005
【図４】
2008255599.tif 000006
【図５】
2008255599.tif 000007
【図６】
2008255599.tif 000008
【図７】
2008255599.tif 000009
【図８】
2008255599.tif 000010
【図９】
2008255599.tif 000011